(57)【要約】【課題】筐体に開設された貫通孔に嵌合させてシールしているグロメット状のＦＰＣ一体ガスケットが、貫通孔から脱落することを防止する。【解決手段】筐体２に開設された貫通孔３をシールするものであって、フレキシブル配線基板（ＦＰＣ）３０と一体でグロメット状に成形されたＦＰＣ一体ガスケット１において、貫通孔３の径方向断面積より大きい断面積面５２を有し、先端面５４に向かって漸次内径側に傾斜するテーパ面５３を有する突起５０をガスケット１０の先端部１３に配設した。【選択図】図１
0003127071.tif 000002
【実用新案登録請求の範囲】
【請求項１】
部材に開設された貫通孔をシールするものであって、フレキシブル配線基板（ＦＰＣ）と一体でグロメット状に成形されたＦＰＣ一体ガスケットにおいて、
前記貫通孔の径方向断面積より大きい断面積面を有し、先端面に向かって漸次内径側に傾斜するテーパ面を有する突起がガスケットの先端部に配設されていることを特徴とするＦＰＣ一体ガスケット。
【請求項２】
請求項１に記載のＦＰＣ一体ガスケットにおいて、
前記突起は、前記断面積面が底面に形成され、軸方向断面形状が台形であることを特徴とするＦＰＣ一体ガスケット。
【考案の詳細な説明】
【技術分野】
【０００１】
本考案は、携帯電話、ムービー、ＰＤＡ及びノートパソコン等の小型通信機器に使用されるフレキシブル配線基板（ＦＰＣ）と一体でグロメット状に成形されたＦＰＣ一体ガスケットに関する。
【背景技術】
【０００２】
携帯電話、ムービー、ＰＤＡ及びノートパソコン等の小型通信機器にはユーザー層の拡大と共に近年様々な差別化が行われ、小型化、対衝撃性、防水性等の仕様を謳った製品開発が行われている。そのため配線形状が複雑になり積層フィルムや多層フィルム化等による対応が行われ、それに伴いシールに対する要求もこれまで以上に困難なものとなってきている。
【０００３】
これに対応すべくシール構造においては、下記特許文献に示すように、シールを積層フィルムや多層フィルム化されたフレキシブル配線基板（ＦＰＣ）と一体成形する一体成形構造の方向で検討が進められている。一体成形構造の場合、図５に示すようにガスケット１０１をグロメット状に成形し、ＦＰＣ１０２をガスケット１０１の内部を挿通させるように埋設させることにより一体化を行う。このＦＰＣ一体ガスケット１００は、図６に示すように、筐体１０３に開設されている貫通孔１０４に一体ガスケット１００を嵌合させてシールするものであるが、図７に示すように、衝撃等を受けた場合、貫通孔１０４に嵌合しているＦＰＣ一体ガスケット１００が矢印Ｘ方向に脱落する虞があり、防水性の点で懸念されていた。
【０００４】
【特許文献１】特開２００４−２１４９２７公報
【考案の開示】
【考案が解決しようとする課題】
【０００５】
本考案は、上記問題点を解決するためになされたものであって、その目的とするところは、筐体に開設された貫通孔に嵌合させてシールしているグロメット状のＦＰＣ一体ガスケットが、貫通孔から脱落することのないようにすることである。
【課題を解決するための手段】
【０００６】
上記目的を達成するため、本考案の請求項１に係るＦＰＣ一体ガスケットは、部材に開設された貫通孔をシールするものであって、フレキシブル配線基板（ＦＰＣ）と一体でグロメット状に成形されたＦＰＣ一体ガスケットにおいて、前記貫通孔の径方向断面積より大きい断面積面を有し、先端面に向かって漸次内径側に傾斜するテーパ面を有する突起がガスケットの先端部に配設されていることを特徴とするＦＰＣ一体ガスケット。
【０００７】
また、本考案の請求項２に係るＦＰＣ一体ガスケットは、請求項1に記載のＦＰＣ一体ガスケットにおいて、前記突起は、前記断面積面が底面に形成され、軸方向断面形状が台形であることを特徴とするものである。
【考案の効果】
【０００８】
本考案は、以下の効果を奏する。
【０００９】
上記構成を備えた本考案に記載のＦＰＣ一体ガスケットは、少なくとも一部に前記貫通孔の径方向断面積より大きい断面積面を有する突起がガスケット先端部に配設されているので、貫通孔に嵌合させたときに突起が貫通孔の周縁部と係合し、挿通した方向に衝撃等により押し戻され嵌合が外れるのを防止することができ、もって防水性を確保することができる。
【００１０】
しかも配設されている突起は、先端面に向かって漸次内径側に傾斜するテーパ面を有しているので、前記貫通孔の径方向断面積より大きい断面積面を有していても、ＦＰＣ一体ガスケットを貫通孔に突起を先頭に嵌合させるときに、テーパ面に沿って容易に行うことができる。
【考案を実施するための最良の形態】
【００１１】
以下に図面を参照して、この考案の好適な実施の形態を例示して説明する。ただし、この考案の範囲は、特に限定的記載がないかぎりは、この実施の形態に記載されている内容に限定する趣旨のものではない。なお、本考案における径方向とは、ＦＰＣの長手方向に対して直角に切断した方向をいい、軸方向とは、ＦＰＣの長手方向をいう。
【００１２】
実施形態１：
図１は、本考案の実施形態1に係るＦＰＣ一体ガスケットの（１）は正面図、（２）は側面図、（３）は底面図であり、図２は、図１のＦＰＣ一体ガスケットの斜視図であり、図３は、図１のＦＰＣ一体ガスケットを筐体に開設された貫通孔に嵌合させた状態を示す（１）は正面から見た説明図、（２）は側面から見た説明図である。
【００１３】
本実施形態に係るＦＰＣ一体ガスケット１は、貫通孔３に嵌合させてシールするものであり、ガスケット１０と、フレキシブル配線基板（ＦＰＣ）３０と、突起５０とを備えている。
【００１４】
貫通孔３は、筐体２を軸方向に貫通するように開設されていて、軸方向中央に段差４を有し、大径開口部５と小径開口部６とからなる。
【００１５】
ガスケット１０は、ゴム状弾性体で形成されており、内部にＦＰＣ３０が挿通するように埋設されている。ガスケット１０は、貫通孔３に嵌合されてシールできるようにグロメット状に成形されていて、貫通孔３の段差４と係合する台座部１１が基部側Ｂに形設されていると共に、軸方向中央に貫通孔３の小径開口部６側の周壁と密接してシールするガスケットリップ１２が形設されている。
【００１６】
更に、ガスケット１０の先端部１３には、突起５０がガスケット１０と一体成形により配設されている。突起５０は、基部側Ｂの底面５１が貫通孔３の小径開口部６の径方向断面積より大きい断面積面５２であり、その断面積面５２から先端面５４に向かう側面５５は、漸次内径側に傾斜するテーパ面５３で形成されている。すなわち、突起５０は、断面積面５２が底面５１であって、軸方法断面形状が台形であるように成形されている。したがって、先端面５４の面積は、貫通孔３の小径開口部６の径方向断面積より小さくなっている。
【００１７】
この様に構成されたＦＰＣ一体ガスケット１は、突起５０を先頭にして筐体２に開設された貫通孔３に大径開口部５側から挿通される。この場合に、ガスケット１０に形設されている台座部１１が貫通孔３に形成されている段差４と係合すると共に、突起５０が貫通孔３の小径開口部６の周縁部７と係合するので、ＦＰＣ一体ガスケット１が衝撃等により大径開口部５側に押し戻され、嵌合が外れるのを防止することが可能となる。
【００１８】
更に、断面積面５２から先端面５４に向かう側面５５は、漸次内径側に傾斜するテーパ面５３で形成されているので、突起５０が配設されている方からＦＰＣ一体ガスケット１を挿通し貫通孔３に嵌合させようとするとき、断面積面５２が小径開口部６の径方向断面積より大きくても突起５０を貫通孔３に挿通させることが可能となる。
【００１９】
実施形態２：
図４は、本考案の実施形態２に係るＦＰＣ一体ガスケットを示しており、（１）が正面図、（２）が側面図である。実施形態２のＦＰＣ一体ガスケット１は、実施形態１のＦＰＣ一体ガスケット１に対して突起５０の形状を変更したものである。なお、図４において、図１乃至３に示す構成と同様な構成については、同一の符号を付している。
【００２０】
図４に示す突起は、断面積面５２が軸方向の中央に形成されており、その断面積面５２から先端面５４に向かう側面５５は、漸次内径側に傾斜するテーパ面５３で形成されていると共に、その断面積面５２から底面５１に向かう側面５５も、漸次内径側に傾斜するテーパ面５３で形成されている
【００２１】
したがって、本実施形態２の場合であっても、実施形態１の場合と同様に、断面積面５２の部位で小径開口部６の周縁部７と係合するので、貫通孔３に嵌合しているＦＰＣ一体ガスケット１が外れるのを防止することが可能となる。
【図面の簡単な説明】
【００２２】
【図１】本考案に係る実施形態１のＦＰＣ一体ガスケットの（１）正面図            （２）側面図（３）底面図
【図２】図１におけるＦＰＣ一体ガスケットの斜視図
【図３】図１におけるＦＰＣ一体ガスケットの装着状態の説明図
【図４】本考案に係る実施形態２のＦＰＣ一体ガスケットの（１）正面図            （２）側面図
【図５】従来例のＦＰＣ一体ガスケットの（１）正面図（２）側面図                （３）底面図
【図６】従来例のＦＰＣ一体ガスケットの装着状態の説明図
【図７】従来例における貫通孔に装着したＦＰＣ一体ガスケットの不具合            状態を示す説明図
【符号の説明】
【００２３】
１  ＦＰＣ一体ガスケット
２  筐体（部材）
３  貫通孔
４  段差
５，６  開口部
７  周縁部
１０  ガスケット
１１  台座部
１２  ガスケットリップ
１３  ガスケット先端部
３０  ＦＰＣ（フレキシブル配線基板）
５０  突起
５１  底面
５２  断面積面
５３  テーパ面
５４  先端面
５５  側面
Ｂ  基部側
Ｔ  先端側
【図１】
0003127071.tif 000003
【図２】
0003127071.tif 000004
【図３】
0003127071.tif 000005
【図４】
0003127071.tif 000006
【図５】
0003127071.tif 000007
【図６】
0003127071.tif 000008
【図７】
0003127071.tif 000009